(57)【特許請求の範囲】
【請求項１】
電池電源により動作する防災機器の電源供給を、操作装置の操作により遠隔的に制御する機器操作システムに於いて、
前記防災機器は、
前記操作装置からの受信電波から電源を生成して動作し、前記受信電波から復調した電文に含まれる電源投入情報又は電源遮断情報を記憶する無線タグと、
電池電源から機器回路部に供給する電源をオン、オフする電源スイッチ部と、
前記無線タグに有線インタフェースを介して接続し、前記電源スイッチ部のオフ状態で前記無線タグから前記電源投入情報を読み出した場合に前記電源スイッチ部をオン制御し、前記電源スイッチ部のオン状態で前記無線タグから前記電源遮断情報を読み出した場合に前記電源スイッチ部をオフ制御する機器制御部と、
を備え、
前記操作装置は、操作部による電源投入操作の受付けを検出した場合に前記無線タグに前記電源投入情報を含む電文を送信し、前記操作部による電源遮断操作の受付けを検出した場合に前記無線タグに前記電源遮断情報を含む電文を送信する操作制御部を備えたことを特徴とする機器操作システム。
【請求項２】
請求項１記載の機器操作システムに於いて、
前記操作装置は、電源投入情報または、電源遮断情報を含む電文を送信したとき、同時に、前記防災機器の無線タグに対してＩＤ情報読み出し要求を含む電文を送信して、前記防災機器にＩＤ情報を送信させ、前記防災機器の電源の投入及び遮断の情報と固有のＩＤ情報を組にして記憶することを特徴とする機器操作システム。
【請求項３】
請求項２記載の機器操作システムに於いて、前記操作装置は、更に、前記防災機器の電源の投入及び遮断の情報と固有のＩＤ情報の組の記憶に合せて、前記防災機器の最終的な電源の投入及び遮断の状態や、操作を行った防災装置の台数を記憶することを特徴とする機器操作システム。
【請求項４】
請求項１記載の機器操作システムに於いて、前記防災機器の前記機器制御部は、前記無線タグから前記電源遮断情報を読み出した場合に低消費電力のスリープモードを設定して動作し、前記無線タグから前記電源投入情報を読み出した場合に前記スリープモードを解除して動作することを特徴とする機器操作システム。
【請求項５】
請求項４記載の機器操作システムに於いて、前記防災機器の前記機器制御部は、前記スリープモードを設定した動作状態では少なくとも前記無線タグの記憶内容を周期的に読出して処理し、前記スリープモードを解除した動作状態では所定の機器制御を行うと共に前記無線タグの記憶内容を周期的に読出して処理することを特徴とする機器操作システム。
【請求項６】
請求項１記載の機器操作システムに於いて、
前記防災機器の前記無線タグは、前記操作装置による記憶内容の書き換えを受けた場合に書換えフラグを設定し、
前記防災機器の前記機器制御部は、前記無線タグにアクセスして前記書換えフラグを検出した場合に、前記無線タグに記憶している電源投入情報又は電源遮断情報を読み出して処理することを特徴とする機器操作システム。
【請求項７】
請求項１記載の機器操作システムに於いて、
前記防災機器の前記無線タグは、前記操作装置から電源投入情報又は電源遮断情報を含む電文を受信した場合に、当該電文に含まれる前記電源投入情報又は前記電源遮断情報を出力し、
前記防災機器の前記機器制御部は、前記無線タグから出力される前記電源投入情報又は前記電源遮断情報を検出して処理することを特徴とする機器操作システム。
【請求項８】
請求項１記載の機器操作システムに於いて、
前記操作装置は、操作部による電源確認操作の受付けを検出した場合に前記無線タグに電源情報の読出要求を含む電文を送信し、前記無線タグから電源情報の読出応答電文を受信して表示部に電源投入状態又は電源遮断状態を表示させ、
前記防災機器の無線タグは、前記操作装置から前記電源情報の読出要求を含む電文を受信した場合、そのとき記憶している電源投入情報又は電源遮断情報を含む読出応答電文を生成して送信することを特徴とする機器操作システム。
【請求項９】
操作装置の遠隔操作により電池電源による電源供給を制御する防災機器に於いて、
前記操作装置からの受信電波から電源を生成して動作し、前記受信電波から復調した電文に含まれる電源投入情報又は電源遮断情報を記憶する無線タグと、
前記電池電源から機器回路部に供給する電源をオン、オフする電源スイッチ部と、
前記無線タグに有線インタフェースを介して接続し、前記電源スイッチ部のオフ状態で前記無線タグから前記電源投入情報を読み出した場合に前記電源スイッチ部をオン制御し、前記電源スイッチ部のオン状態で前記無線タグから前記電源遮断情報を読み出した場合に前記電源スイッチ部をオフ制御する機器制御部と、
を備えことを特徴とする防災機器。
【請求項１０】
請求項９記載の防災機器に於いて、前記機器制御部は、前記無線タグから前記電源遮断情報を読み出した場合に低消費電力のスリープモードを設定して動作し、前記無線タグから前記電源投入情報を読み出した場合に前記スリープモードを解除して動作することを特徴とする防災機器。
【請求項１１】
請求項１０記載の防災機器に於いて、前記機器制御部は、前記スリープモードを設定した動作状態では少なくとも前記無線タグの記憶内容を周期的に読出して処理し、前記スリープモードを解除した動作状態では所定の機器制御を行うと共に前記無線タグの記憶内容を周期的に読出して処理することを特徴とする防災機器。
【請求項１２】
請求項９記載の防災機器に於いて、
前記無線タグは、前記操作装置による記憶内容の書き換えを受けた場合に書換えフラグを設定し、
前記機器制御部は、前記無線タグにアクセスして前記書換えフラグを検出した場合に、前記無線タグに記憶している電源投入情報又は電源遮断情報を読み出して処理することを特徴とする防災機器。
【請求項１３】
請求項９記載の防災機器に於いて、前記防災機器の無線タグは、前記操作装置から電源情報の読出要求を含む電文を受信した場合、そのとき記憶している電源投入情報又は電源遮断情報を含む読出応答電文を生成して送信して前記操作装置に表示させることを特徴とする防災機器。
【発明の詳細な説明】
【技術分野】
【０００１】
本発明は、電池電源により動作する火災感知器等の防災機器の電源供給を、操作装置の操作により遠隔的に制御する機器操作システム及び防災機器に関する。
【背景技術】
【０００２】
従来、火災を監視する無線式の防災監視システムにあっては、ビルの各フロアといった警戒区域にセンサノードとして機能する複数の無線式感知器を設置し、無線式感知器で火災を検出した場合に、火災を示す電文をフロア単位に設置した中継器ノードとして機能する受信用中継器に無線送信する。
【０００３】
受信用中継器は受信機からの感知器回線に接続されており、火災を示す電文を受信すると、リレー接点やスイッチング素子のオンにより感知器回線に発報電流を流して火災発報信号を受信機に送信する。受信機は、この火災発報信号を受信すると、音響等の手段により火災警報を出す。
【０００４】
このような無線防災システムによれば、一般的に天井裏等に敷設される感知器回線の一部を不要にでき、配線工事が簡単になり、感知器の設置場所も配線等の制約を受けずに決めることができる。また、感知器増設等のシステム変更にも容易に対応できる。
【０００５】
ところで、従来の無線防災システムに使用する無線式の火災感知器は電池電源を使用しており、工場出荷段階では、火災感知器に設けた電源スイッチをオフ操作し、これにより出荷から設置工事までに期間が開いても、電池電源の消耗を抑え、運用中における十分な期間の電池寿命を確保可能としている。
【０００６】
また、防水型の火災感知器にあっては、電源スイッチを設けた場合は、スイッチの操作部に防水構造を必要とし、構造が複雑化し、また完全に密閉した構造とすることも困難であることから、非接触型の設定部材としては例えば設定用磁石を使用し、防水筐体の外部に設定用磁石を挿入する盲穴として形成した設定穴を設けると共に、設定穴に対応した防水筐体の内部に磁気検出素子を配置し、設定穴に対する設定用磁石の有無を検出して電池電源からの電源供給のオン、オフを制御するようにしている。
【先行技術文献】
【特許文献】
【０００７】
【特許文献１】特開２００８−００４０３３号公報
【特許文献２】特開昭５８−１４８５９７号公報
【特許文献３】特開２０１１−１２３７９２号公報
【発明の概要】
【発明が解決しようとする課題】
【０００８】
しかしながら、このような従来の電池電源を用いた無線式の火災感知器にあっては、無線防災システムを立ち上げる前に電源スイッチをオンする操作を必要とし、火災感知器は天井面に設置していることから、作業に手間と時間がかかる問題がある。
【０００９】
また、無線防災システムは、火災感知器を含む防災機器の設置が簡単且つ容易であることから、仮設施設の一時的な防災監視に使用される場合がある。このように仮設施設に無線防災システムを設置した場合、仮設施設の使用が終了すると無線防災システムによる監視も不要となり、次の仮設施設に移し替えて使用可能とするため、火災感知器の電源をオフして電池電源の消耗を抑えることが望ましい。
【００１０】
しかしながら、天井面に設置している火災感知器を取り外して電源をオフする操作には手間と時間がかかることから、仮設施設の解体等を行うまでそのまま放置し、解体等にともない火災感知器を取り外した場合、次に使用するためには全ての火災感知器の電池を現場作業により交換しなければならない。
【００１１】
また、防水型の火災感知器については、防水構造を確保するため、工場に持ち込んで電池を交換するする必要があるため手間と時間がかかり、また、新品とした場合には設備コストが高くなる問題がある。
【００１２】
本発明は、電池電源により動作する火災感知器等の防災機器の電源供給の制御を遠隔的な操作により簡単且つ容易に行うことを可能とする機器操作システム及び防災機器を提供することを目的とする。
【課題を解決するための手段】
【００１３】
（機器操作システム）
本発明は、電池電源により動作する防災機器の電源供給を、操作装置の操作により遠隔的に制御する機器操作システムに於いて、
防災機器は、
操作装置からの受信電波から電源を生成して動作し、受信電波から復調した電文に含まれる電源投入情報又は電源遮断情報を記憶する無線タグと、
電池電源から機器回路部に供給する電源をオン、オフする電源スイッチ部と、
無線タグに有線インタフェースを介して接続し、電源スイッチ部のオフ状態で無線タグから電源投入情報を読み出した場合に電源スイッチ部をオン制御し、電源スイッチ部のオン状態で無線タグから電源遮断情報を読み出した場合に電源スイッチ部をオフ制御する機器制御部と、
を備え、
操作装置は、操作部による電源投入操作の受付けを検出した場合に無線タグに電源投入情報を含む電文を送信し、操作部による電源遮断操作の受付けを検出した場合に無線タグに電源遮断情報を含む電文を送信する操作制御部を備えたことを特徴とする。
【００１４】
（防災機器も電源情報の記憶）
操作装置は、電源投入情報または、電源遮断情報を含む電文を送信したとき、同時に、防災機器の無線タグに対してＩＤ情報読み出し要求を含む電文を送信して、防災機器にＩＤ情報を送信させ、防災機器の電源の投入及び遮断の情報と固有のＩＤ情報を組にして記憶する。
【００１５】
操作装置は、更に、防災機器の電源の投入及び遮断の情報と固有のＩＤ情報の組の記憶に合せて、防災機器の最終的な電源の投入及び遮断の状態や、操作を行った防災装置の台数を記憶する。
【００１６】
（スリープモードの設定と解除）
防災機器の機器制御部は、無線タグから電源遮断情報を読み出した場合に低消費電力のスリープモードを設定して動作し、無線タグから電源投入情報を読み出した場合にスリープモードを解除（ウェイクアップモード）して動作する。
【００１７】
（スリープモードの設定と解除の制御内容）
防災機器の機器制御部は、スリープモードを設定した動作状態では少なくとも無線タグの記憶内容を周期的に読出して処理し、スリープモードを解除した動作状態では所定の機器制御を行うと共に無線タグの記憶内容を周期的に読出して処理する。
【００１８】
（無線タグの書換えフラグによる電源制御）
防災機器の無線タグは、操作装置による記憶内容の書き換えを受けた場合に書換えフラグを設定し、
防災機器の機器制御部は、無線タグにアクセスして書換えフラグを検出した場合に、無線タグに記憶している電源投入情報又は電源遮断情報を読み出して処理する。
【００１９】
（無線タグの受信出力による電源制御）
防災機器の無線タグは、操作装置から電源投入情報又は電源遮断情報を含む電文を受信した場合に、当該電文に含まれる電源投入情報又は電源遮断情報を出力し、
機器制御部は、無線タグから出力される電源投入情報又は電源遮断情報を検出して処理する。
【００２０】
（操作装置による防災機器の電源状態の確認）
操作装置は、操作部による電源確認操作の受付けを検出した場合に無線タグに電源情報の読出要求を含む電文を送信し、無線タグから電源情報の読出応答電文を受信して表示部に電源投入状態又は電源遮断状態を表示させ、
防災機器の無線タグは、操作装置から電源情報の読出要求を含む電文を受信した場合、そのとき記憶している電源投入情報又は電源遮断情報を含む読出応答電文を生成して送信する。
【００２１】
（防災機器）
本発明は、操作装置の遠隔操作により電池電源による電源供給を制御する防災機器に於いて、
操作装置からの受信電波から電源を生成して動作し、受信電波から復調した電文に含まれる電源投入情報又は電源遮断情報を記憶する無線タグと、
電池電源から機器回路部に供給する電源をオン、オフする電源スイッチ部と、
無線タグに有線インタフェースを介して接続し、電源スイッチ部のオフ状態で無線タグから電源投入情報を読み出した場合に電源スイッチ部をオン制御し、電源スイッチ部のオン状態で無線タグから電源遮断情報を読み出した場合に電源スイッチ部をオフ制御する機器制御部と、
を備えことを特徴とする。
【００２２】
これ以外の防災機器の特徴は、前述した機器操作システムに示した防災機器の特徴と同じになる。
【発明の効果】
【００２３】
（機器操作システムの効果）
本発明によれば、電池電源により動作する防災機器の電源供給を、操作装置の操作により遠隔的に制御する機器操作システムに於いて、防災機器は、操作装置からの受信電波から電源を生成して動作し、受信電波から復調した電文に含まれる電源投入情報又は電源遮断情報を記憶する無線タグと、電池電源から機器回路部に供給する電源をオン、オフする電源スイッチ部と、無線タグに有線インタフェースを介して接続し、電源スイッチ部のオフ状態で無線タグから電源投入情報を読み出した場合に電源スイッチ部をオン制御し、電源スイッチのオン状態で無線タグから電源遮断情報を読み出した場合に電源スイッチ部をオフ制御する機器制御部とを備え、操作装置は、操作部による電源投入操作の受付けを検出した場合に無線タグに電源投入情報を含む電文を送信し、操作部による電源遮断操作の受付けを検出した場合に無線タグに電源遮断情報を含む電文を送信する操作制御部を備えるようにしたため、操作装置を防災機器、例えば火災感知器に近づけて操作することで、天井面から火災感知器を取り外すことなく、電池電源による火災感知器の電源供給を簡単且つ容易にオン、オフすることができ、システムの運用を開始するまで火災感知器の電源供給をオフしておくことで、工場出荷からシステムの運用開始までに期間があっても電池電源の消耗を抑え、システム運用における十分な電池寿命を確保可能とする。
【００２４】
また、仮設施設に設置したシステムの運用を停止した場合には、例えば火災感知器の電源を天井面に設置したまま操作装置からの操作で簡単且つ容易にオフすることができ、次に火災感知器を使用するまでの電池電源の消耗を抑制し、電池交換を必要とすることなく、次の仮設施設での使用を可能とする。
【００２５】
（防災機器も電源情報の記憶）
また、操作装置は、電源投入情報または、電源遮断情報を含む電文を送信した場合、同時に、防災機器の無線タグに対してＩＤ情報読み出し要求を含む電文を送信して、防災機器にＩＤ情報を送信させ、防災機器の電源の投入及び遮断の情報と固有のＩＤ情報の組にして記憶し、更に、防災機器の電源の投入及び遮断の情報と固有のＩＤ情報を組の記憶に合せて、防災機器の最終的な電源の投入及び遮断の状態や、操作を行った防災装置の台数を記憶するようにしたため、操作装置または外部表示装置において、電源の投入及び遮断の情報と固有のＩＤ情報の組などを表示可能であるため、これらの情報と物件に設置される例えば火災感知器の台数等との情報と照合することにより、火災感知器の電源のオン・オフ設定漏れの防止を可能とする。
【００２６】
（スリープモードの設定と解除による効果）
また、防災機器の機器制御部は、無線タグから電源遮断情報を読み出した場合に低消費電力のスリープモードを設定して動作し、無線タグから電源投入情報を読み出した場合にスリープモードを解除（ウェイクアップモード）して動作するようにしたため、電源スイッチ部のオフにより機器回路部に対する電源供給をオフした場合には、常時電源供給を受けている機器制御部は実質的に非動作状態となるスリープモードの動作となり、消費電力を必要最小限に抑えて電池電源の消耗を抑制可能とする。
【００２７】
（スリープモードの設定と解除の制御内容による効果）
また、防災機器の機器制御部は、スリープモードを設定した動作状態では少なくとも無線タグの記憶内容を周期的に読出して処理し、スリープモードを解除した動作状態では所定の機器制御を行うと共に無線タグの記憶内容を周期的に読出して処理するようにしたため、実質的に非動作状態となるスリープモードであっても無線タグの記憶内容を機器制御部が周期的に読出しており、これにより操作装置で電源投入操作を行って無線タグに電源投入情報を書き込むと、これを機器制御部が読み出して機器回路部への電源供給をオンして動作状態とすることを可能とする。
【００２８】
また、防災機器の機器制御部がスリープモードを解除した動作状態でも無線タグの記憶内容を周期的に読出しており、操作装置で電源遮断操作を行って無線タグに電源遮断情報を書き込むと、これを機器制御部が読み出して電源供給をオフしてスリープモードとすることを可能とする。
【００２９】
（無線タグの書換えフラグによる効果）
また、防災機器の無線タグは、操作装置による記憶内容の書き換えを受けた場合に書換えフラグを設定し、防災機器の機器制御部は、無線タグにアクセスして書換えフラグを検出した場合に、無線タグに記憶している電源投入情報又は電源遮断情報を読み出して処理するようにしたため、操作装置を使用して火災感知器の無線タグに電源投入情報又は電源遮断情報を書き込むだけ、防災機器の機器制御部が自動的に無線タグに書き込んだ情報を読出して対応した電源オン又は電源オンの制御を可能とする。また、防災機器の機器制御部は、スリープモードでは、無線タグ内の書き換えフラグのみを参照すれば良いため、制御部と無線タグ間の通信時間を減らすことができ、制御部及び無線タグの双方の消費電流の低減を可能とする。
【００３０】
（無線タグの受信出力による電源制御）
また、防災機器の無線タグは、操作装置から電源投入情報又は電源遮断情報を含む電文を受信した場合に、当該電文に含まれる電源投入情報又は電源遮断情報を出力し、防災機器の機器制御部は、無線タグから出力される電源投入情報又は電源遮断情報を検出して処理するようにしたため、防災機器に設けた無線タグが、自らのメモリ内容を書き換えるような機能が無い場合であっても、操作装置からの電文を受信して電源投入又は電源遮断の制御を可能とする。
【００３１】
（操作装置による防災機器の電源状態の確認による効果）
また、操作装置は、操作部による電源確認操作の受付けを検出した場合に無線タグに電源情報読出要求を含む電文を送信し、無線タグから電源情報の読出応答電文を受信して表示部に電源投入状態又は電源遮断状態を表示させ、防災機器の無線タグは、操作装置から電源情報の読出要求を含む電文を受信した場合、そのとき記憶している電源投入情報又は電源遮断情報を含む読出応答電文を生成して送信するようにしたため、操作装置の操作により防災機器の電源供給を制御する場合、現在、防災機器の電源状態がどのようになっているかが遠隔的な確認操作で簡単に分かり、必要とする電源操作を適切且つ確実に行うことを可能とする。
【００３２】
（防災機器による効果）
本発明は、操作装置の遠隔操作により電池電源による電源供給を制御する防災機器に於いて、操作装置からの受信電波から電源を生成して動作し、受信電波から復調した電文に含まれる電源投入情報又は電源遮断情報を記憶する無線タグと、電池電源から機器回路部に供給する電源をオン、オフする電源スイッチ部と、無線タグに有線インタフェースを介して接続し、電源スイッチ部のオフ状態で無線タグから電源投入情報を読み出した場合に記電源スイッチ部をオン制御し、電源スイッチのオン状態で無線タグから電源遮断情報を読み出した場合に電源スイッチ部をオフ制御する機器制御部とを設けるようにしたため、前述した機器操作システムにおける防災機器によると同じ効果が得られる。
【図面の簡単な説明】
【００３３】
【図１】本発明の機器操作システムを適用する無線防災システムの概要を示した説明図
【図２】火災感知器の機能構成を操作装置と共に示したブロック図
【図３】操作装置の機能構成を示したブロック図
【図４】火災感知器における感知器制御を示したフローチャート
【発明を実施するための形態】
【００３４】
［無線防災システム］
（システムの概要）
図１は本発明の機器操作システムが適用される無線防災システムの概要を示した説明図である。図１において、監視対象となる建物の１Ｆ〜３Ｆの各階には中継器ノードとして機能する受信用中継器２を設置し、火災受信機であるＰ型受信機１から階別に引き出した感知器回線３及び共通の電源線４に接続している。
【００３５】
１Ｆ〜３Ｆの各階には、センサノードとして機能する無線式の火災感知器１０を設置しており、火災感知器１０は内蔵した電池電源により動作する。また、火災感知器１０の中には、設置場所に対応して防水型の火災感知器が含まれる。
【００３６】
受信用中継器２及び火災感知器１０のそれぞれには、機器ＩＤを使用した固有のノードＩＤを予め登録（記憶）している。火災感知器１０は火災による煙濃度または温度が所定の閾値を超えた場合に火災イベントの発生と判断し、火災を示す電文信号（以下、単に「電文」という）を間欠的に無線送信する。
【００３７】
１Ｆ〜３Ｆの受信用中継器２には、親子関係に基づいて電文を受信する子ノードとしての送信元である火災感知器１０を特定するノードＩＤとシステム上で予め割り当てたアドレスとの組合せを各階毎に分けて予め登録している。このような受信用中継器２に対するノードＩＤの登録により、電文を受信した際には、電文に含まれる送信元ＩＤと予め登録したノードＩＤとを比較し、例えば両者が一致したときに有効な電文として処理することになる。
【００３８】
また、火災感知器１０と受信用中継器２との間の無線通信は、日本国内の場合には例えば４００ＭＨｚ帯の特定小電力無線局の標準規格に従った無線通信を行っており、４２６．２５００ＭＨｚ〜４２６．８３７５ＭＨｚの１２．５ＫＨｚの帯域を持つ４８チャンネルの何れかの使用を可能とする。
【００３９】
そこで、受信用中継器２と火災感知器１０には、４００ＭＨｚ帯の特定小電力無線局標準規格で使用可能な４８チャンネルの何れか１つを選択して使用するチャンネル周波数を設定する。この場合、チャンネル周波数は各階で同じにしても良いし、混信を避けるために例えば隣接する階では異なるチャンネル周波数を使用しても良い。
【００４０】
（無線タグと設定装置の概要）
無線防災システムに設けた火災感知器１０は無線タグ３０を内蔵している。無線タグ３０は例えばパッシブタグ（受動タグ）であり、担当者が携帯している操作装置１００からの受信電波を整流して電源を生成して動作し、近距離通信を用いた情報の送受信により内蔵した不揮発性のメモリに対する情報の書き込みと読出しを行う。
【００４１】
また、火災感知器１０に実装しているＣＰＵ、メモリ及び各種の入出力ポートを備えた感知器制御部（プロセッサ）と無線タグ３０を有線インタフェースにより接続しており、感知器制御部が無線タグ３０にアクセスしてメモリからの情報の読出しと書込みを可能としている。
【００４２】
操作装置１００は、携帯可能なハンディタイプの装置であり、火災感知器１０に対し通信接続可能な所定距離以内（例えば，１メートル以内）に近づいた状態で操作部による電源オン操作又は電源オフ操作を行うと、火災感知器１０の電源供給の制御に必要な電源投入情報を含む電文または電源遮断情報を含む電文を送信して無線タグ３０に書込み可能とする。
【００４３】
ここで、無線タグ３０及び操作装置１００による通信は、例えば９００ＭＨｚのＵＨＦ帯のチャンネル周波数を使用しており、火災感知器１０と受信用中継器２の間の４００ＭＨｚ帯のチャンネル周波数との混信は起きない。
【００４４】
［火災感知器］
（火災感知器の機能構成）
図２は火災感知器の機能構成を操作装置と共に示したブロック図である。図２に示すように、防災機器として機能する火災感知器１０は、機器制御部として機能する感知器制御部１２、機器回路部１４、Ｉ／Ｆ回路部（インタフェース回路部）２４、電源スイッチ部２６、電池電源２８及び無線タグ３０を備える。
【００４５】
感知器制御部１２はＣＰＵ、メモリ、各種の入出力ポート等を備えたコンピュータ回路等であり、実質的に非動作状態となるスリープモードと、スリープモードを解除して動作状態となるウェイクアップモードとの切替え機能を備えている。
【００４６】
機器回路部１４は、アンテナ１８を接続した通信部１６、センサ部２０、操作表示部２２等を備え、これ以外に感知器制御部１２、Ｉ／Ｆ回路部２４、電源スイッチ部２６を除く他の回路も機器回路部１４に含まれる。
【００４７】
通信部１６は、日本国内の場合には、例えば４００ＭＨｚ帯の特定小電力無線局の標準規格に準拠して電文を間欠的に送信する。
【００４８】
センサ部２０は、例えば散乱光式の煙検出機構によって煙を検出して煙濃度に応じた煙検出信号を出力する。感知器制御部１２はこれに基づき火災を検出する。なお、センサ部２０にサーミスタ等の温度検出素子を設け、温度検出信号を感知器制御部１２へ出力して、これに基づき火災を検出するようにしても良い。
【００４９】
電源スイッチ部２６は電池電源２８から機器回路部１４に対する電源供給を制御するもので、感知器制御部１２からの制御信号によりオン、オフする半導体スイッチ等を使用している。
【００５０】
なお、火災感知器１０には、磁石による設定部により、電源オン・オフや、チャンネル設定も行う機能を設けても良い。
【００５１】
（無線タグの構成）
無線タグ３０は、タグ制御部３２、アンテナ３６を接続したタグ通信部３４、アンテナ３６を接続した整流部４２、メモリ３８及びＩ／Ｆ回路部（インターフェース回路部）４０を備える。
【００５２】
タグ制御部３２はＣＰＵ、各種の入出力ポート等を備えたコンピュータＩＣ等とする。タグ通信部３４は、例えば９００ＭＨｚ帯の特定小電力無線局の標準規格に準拠して電文を受信する。メモリ３８は不揮発メモリを使用する。アンテナ３６は感知器回路を実装した回路基板自体をアンテナとしている。
【００５３】
整流部４２はアンテナ３６で受信した操作装置１００からの電波による受信信号を整流してタグ制御部３２、タグ通信部３４及びメモリ３８に電源を供給して動作させる。
【００５４】
タグ制御部３２は、操作装置１００の電源オンスイッチ１０８又は電源オフスイッチ１１０の操作に基づく電文を受信した場合、電文に含まれている電源投入情報又は電源遮断情報をメモリ３８の所定アドレスに書き込む制御を行う。
【００５５】
また、タグ制御部３２は、メモリ３８に受信電文に基づく情報を書き込んだ場合、所定のアドレスに書換えフラグを書き込んで設定する制御を行う。
【００５６】
また、タグ制御部３２は、操作装置１００の確認スイッチ１１２の操作に基づく電源情報読出要求を含む電文を受信した場合、そのときメモリ３８に記憶している電源投入情報又は電源遮断情報を読出して読出応答電文を生成し、タグ通信部３４に指示して送信させる制御を行う。
【００５７】
（有線インタフェース）
無線タグ３０と感知器制御部１２との間で情報を双方向に伝送する有線インタフェースは、感知器制御部１２側に設けたＩ／Ｆ回路部２４、無線タグ３０に設けたＩ／Ｆ回路４０、感知器制御部１２にインストールしたインタフェース制御用のソフトウェアで構成する。Ｉ／Ｆ回路部２４，４０は電池電源２８による電源供給を常時受けて動作している。
【００５８】
このための有線インタフェースは、例えばＩ２Ｃ（アイ・スクエアー・シー）として知られたフィリップス社で開発されたシリアルバス・インタフェースが使用できる。
【００５９】
Ｉ２Ｃによる有線インタフェースは、シリアルデータ用とクロック用の２本の信号線でＩ／Ｆ回路部２４，４０の間を接続しており、２本の信号線は電池電源２８からの電源ラインに対し抵抗を介してプルアップしている。Ｉ／Ｆ回路部２４，４０には、データ用とクロック用に分けて送信用のドライバと受信用のレシーバを設けている。インタフェース制御用のソフトウェアをインストールした感知器制御部１２がマスタとなり、Ｉ／Ｆ回路部２４，４０を介して無線タグ３０のメモリ３８にアクセスして情報の読み書きを行う。
【００６０】
なお、無線タグ３０と感知器制御部１２との間で情報を双方向に伝送する有線インタフェースとしては、Ｉ２Ｃ以外に、適宜のシリアル伝送を行う適宜の有線インタフェースを使用しても良い。
【００６１】
ここで、タグ制御部３２はタグ通信部３４による外部の操作装置１００との通信接続により電文を受信してメモリ３８に新たに情報を書き込んだ場合、或いはメモリ３８に記憶している情報を書き換えた場合、メモリ３８の所定アドレスに書換えフラグを設定（記憶）する。
【００６２】
感知器制御部１２は、スリープモード及びウェイクアップモードのいずれにおいても、有線インタフェースのＩ／Ｆ回路部２４，４０を経由してメモリ３８の書換えフラグの有無を定期的に監視しており、書換えフラグの設定を検出すると、メモリ３８の書換えられた情報を読出して所定の処理を実行する制御を行う。
【００６３】
（感知器制御部の機能）
感知器制御部１２は、コンピュータ回路によりプログラムの実行により実現される機能であり、次の制御を行う。
【００６４】
感知器制御部１２は、電池電源２８を組付けてパワーオンスタートした後の初期状態で、電源スイッチ部２６をオフ制御して機器回路部１４に対する電源供給を停止し、且つ、実質的に非動作状態となるスリープモードを設定している。この場合、機器回路部１４には電池電源２８からの電源供給は停止し、また感知器制御部１２はスリープモードにあることで、電池電源２８からの消費電流は最小限に抑えられている。
【００６５】
また、感知器制御部１２は、スリープモードの動作状態では、有線インタフェースのＩ／Ｆ回路部２４，４０を経由してメモリ３８の書換えフラグの有無を定期的に監視する制御を行っており、書換えフラグの設定を検出すると、メモリ３８に書き込まれた電源投入情報を読出して電源スイッチ部２６をオンする制御を行い、併せてスリープモードを解除してウェイクアップモードとなり、所定の感知器制御を行う。これにより火災感知器１０は無線タグ３０のタグ制御部３２、タグ通信部３４及び整流部４２を除いて電池電源２８からの電源供給により感知器全体が動作状態となって火災を監視する。
【００６６】
また、感知器制御部１２は、ウェイクアップモードの動作状態では、有線インタフェースのＩ／Ｆ回路部２４，４０を経由してメモリ３８の書換えフラグの有無を定期的に監視する制御を行っており、書換えフラグの設定を検出すると、メモリ３８に書き込まれた電源遮断情報を読出して電源スイッチ部２６をオフする制御を行い、併せてウェイクアップモードを解除してスリープモードとなり、所定の感知器制御は行わず、有線インタフェースのＩ／Ｆ回路部２４，４０を経由してメモリ３８の書換えフラグの有無を定期的に監視する制御のみを行う。
【００６７】
感知器制御部１２は、ウェイクアップモードにおいて、センサ部２０から出力される例えば煙濃度検出信号が所定の火災閾値を超えた場合に火災を示す電文信号を生成し、通信部１６に指示して図１に示した受信用中継器２に送信させる制御を行う。この場合の電文送信は、所定の電文送信時間に亘り同一の電文信号を連続送信する電文送信と、所定時間に亘り電文送信を休止する電文休止とを複数回繰り返す。
【００６８】
また、感知器制御部１２は、ウェイクアップモードにおいて、火災復旧、障害、試験といったイベントを検出した場合にも、検出したイベント内容を示す電文信号を生成し、通信部１６に指示して図１に示した受信用中継器２に送信させる制御を行う。
【００６９】
［操作装置］
（操作装置の機能構成）
図３は操作装置の機能構成を示したブロック図である。図３に示すように、電池電源により動作する火災感知器の電源供給を遠隔的に操作する操作装置１００は、操作制御部１０２、アンテナ１０６を接続したタグ通信部１０４、電源オンスイッチ１０８、電源オフスイッチ１１０、確認スイッチ１１２、表示部１１４、及び電池電源１１６を備える。
【００７０】
操作制御部１０２はＣＰＵ、メモリ、各種の入出力ポート等を備えたコンピュータ回路等とする。タグ通信部１０４は、例えば９００ＭＨｚ帯の特定小電力無線局の標準規格に準拠して電文を間欠的に送受信する。
【００７１】
電源オンスイッチ１０８は例えば押し釦スイッチであり、電源オン操作を受け付ける。
電源オフスイッチ１１０は例えば押し釦スイッチであり、電源オフ操作を受け付ける。確認スイッチ１１２は例えば押し釦スイッチであり、火災感知器１０の電源制御状態を確認する操作を受け付ける。
【００７２】
表示部１１４は例えば２色ＬＥＤであり、確認スイッチ１１２の操作により火災感知器１０の電源オフを確認した場合は赤色ＬＥＤが点灯し、火災感知器１０の電源オンを確認した場合は緑色ＬＥＤが点灯する。
【００７３】
操作制御部１０２は、コンピュータ回路によりプログラムの実行により実現される機能であり、次の制御を行う。
【００７４】
操作制御部１０２は、電源オンスイッチ１０８による電源投入操作の受付けを検出した場合に電源投入情報を含む電文を生成し、タグ通信部１０４に指示して送信させる制御を行う。
【００７５】
また、操作制御部１０２は、電源オフスイッチ１１０による電源遮断操作の受付けを検出した場合に電源遮断情報を含む電文を生成し、タグ通信部１０４に指示して送信させる制御を行う。
【００７６】
また、操作制御部１０２は、確認スイッチ１１２による確認操作の受付けを検出した場合に電源情報読出命令を含む電文を生成し、タグ通信部１０４に指示して送信させる。この電源情報読出電文は火災感知器１０の無線タグ３０で受信され、そのときメモリ３８に記憶している電源情報、即ち電源投入情報又は電源遮断情報を読出して操作装置に読出し応答電文を送信する。
【００７７】
また、操作制御部１０２は、確認スイッチ１１２の操作に伴い火災感知器１０の無線タグ３０が送信した読出応答電文を受信した場合、この電文から電源投入情報を検出した場合は表示部１１４に指示して赤色ＬＥＤを点灯し、火災感知器１０の電源が現在オンしていることを表示する制御を行う。
【００７８】
また、操作制御部１０２は、確認スイッチ１１２の操作に伴い火災感知器１０の無線タグ３０が送信した読出応答電文を受信した場合、この電文から電源遮断情報を検出した場合は表示部１１４に指示して緑色ＬＥＤを点灯し、火災感知器１０の電源が現在オフしていることを表示する制御を行う。
【００７９】
なお、電源状態の確認表示は２色ＬＥＤ以外に適宜の識別表示としても良い。例えば電源オンスイッチ１０８と電源オフスイッチ１１０を、ＬＥＤを内蔵した照光スイッチとし、操作制御部１０２は、読出応答電文から電源投入情報を検出した場合に電源オンスイッチ１０８のＬＥＤを点灯し、読出応答電文から電源遮断情報を検出した場合に電源オフスイッチ１１０のＬＥＤを点灯する制御を行う。
【００８０】
また、操作制御部１０２は、電源投入情報または、電源遮断情報を含む電文を送信したとき、同時に、火災感知器１０の無線タグ３０に対してＩＤ情報読み出し要求を含む電文を送信して、火災感知器１０にＩＤ情報を送信させ、火災感知器１０の電源の投入及び遮断の情報と固有のＩＤ情報を組にして記憶し、更に、火災感知器１０の最終的な電源の投入及び遮断の状態や、操作を行った火災感知器１０の台数を記憶する制御を行う。
【００８１】
このため、操作装置１００または外部表示装置において、火災感知器１０の電源の投入及び遮断の情報と固有のID情報の組などを表示可能とし、これらの情報と物件に設置される火災感知器１０の台数等との情報と照合することにより、火災感知器１０の電源のオン・オフ設定漏れの防止を可能とする。
【００８２】
（電源オン、オフを伴う火災感知器の制御動作）
図４は操作装置の遠隔操作による電源制御を含む火災感知器の制御動作を示したフローチャートであり、感知器制御部１２の制御動作となる。
【００８３】
図４に示すように、火災感知器１０に電池電源２８を装着して感知器制御部１２に電源を供給することでパワーオンスタートすると、感知器制御部１２はステップＳ１（以下「ステップ」は省略）で所定の初期処理を行った後、Ｓ２で電源スイッチ部２６に対しオフ制御信号を出力してオフ状態に固定し、機器回路部１４に対する電池電源２８からの電源供給を停止する。
【００８４】
またＳ２で感知器制御部１２は、Ｉ／Ｆ回路部２４，４０による有線インタフェースを経由して無線タグ３０のメモリ３８にアクセスして電源遮断情報を書き込み、操作装置１００による電源状態の確認が可能な状態としておく。
【００８５】
続いてＳ３に進んで感知器制御部１２はスリープモードを設定して実質的に非動作状態とし、この状態でＳ４に進んでＩ／Ｆ回路部２４，４０による有線インタフェースを経由して無線タグ３０のメモリ３８にアクセスして書換えフラグの設定アドレスを定期的に読出しており、書換えフラグを検出した場合は無線タグ３０のメモリ３８に操作装置１００による電源投入情報の書込みがあることからＳ５で無線タグ３０のメモリ３８の所定アドレスから書き換えられた電源投入情報を読み出す。
【００８６】
なお、電源スイッチ部２６をオフ制御した状態で、操作装置１００により電源遮断情報が無線タグ３０のメモリ３８に書き込まれた場合には、Ｓ５で電源遮断情報を読み出ことになるが、火災感知器１０は既に電源オフ状態にあることから、読み出した電源遮断情報を無視し、電源オフ制御は行わない。
【００８７】
続いてＳ６で電源スイッチ部２６をオン制御すると共にＳ７でそれまでのスリープモードを解除してウェイクアップモードに切替え、Ｓ８でセンサ部２０から出力される例えば煙濃度検出信号が所定の火災閾値を超えた場合に火災を示す電文信号を生成して送信させる所定の感知器制御を行う。
【００８８】
感知器制御部１２はウェイクアップモードによる動作状態でもＳ９に進んでＩ／Ｆ回路部２４，４０による有線インタフェースを経由して無線タグ３０のメモリ３８にアクセスして書換えフラグの設定アドレスを定期的に読出しており、書換えフラグを検出した場合は無線タグ３０のメモリ３８に操作装置１００による電源遮断情報書込みがあることから、Ｓ１０でメモリ３８の所定アドレスから書き換えられた電源遮断情報を読み出し、Ｓ２に戻って電源スイッチ部２６をオン制御すると共にＳ３でそれまでのウェイクアップモードを解除してスリープモードに切替え、Ｓ４で次の書換えフラグの検出を待つ。
【００８９】
なお、電源スイッチ部２６をオン制御した状態で操作装置１００により電源投入情報が無線タグ３０のメモリ３８に書き込まれた場合には、Ｓ１０で電源投入情報を読み出ことになるが、火災感知器１０は既に電源オン状態にあることから、読み出した電源投入情報を無視し、電源オフ制御は行わない。
【００９０】
［他の実施形態］
（防災機器）
上記の実施形態は、電池電源で動作する防災機器として、無線式の火災感知器を例にとるものであったが、防災監視システムに設けて電池電源で動作している他の防災機器についても、同様にして適用できる。また、防災機器に限定されず、電池電源で動作する適宜の機器についても、同様にして適用できる。
【００９１】
（無線タグの受信出力による電源制御）
上記の実施形態にあっては、火災感知器１０に設けた無線タグ３０は受信情報に基づき自らのメモリ３８に情報を書き込む機能をそなえることから、メモリ３８の記憶内容の書換えを行った場合に書換えフラグをメモリ３８に設定して感知器制御部１２によるアクセスを可能としているが、無線タグによっては、自らのメモリ内容を書き換えるような機能が無い場合が想定される。
【００９２】
そこで、自らのメモリ内容を書き換えるような機能を持たない無線タグを使用する場合には、防災機器の無線タグは、操作装置から電源投入情報又は電源遮断情報を含む電文電文を受信した場合に、当該電文に含まれる電源投入情報又は電源遮断情報を出力し、防災機器の機器制御部は、無線タグから出力される電源投入情報又は電源遮断情報を検出して処理するように構成する。このため、防災機器に設けた無線タグが、自らのメモリ内容を書き換えるような機能が無い場合であっても、操作装置からの電文を受信して電源投入又は電源遮断の制御を可能とする。
【００９３】
（住警器）
また、本発明の防災機器として、住宅における火災を検出して警報する住宅用火災警報器として知られた住警器に適用してもよい。このような住警器にあっては、住警器内にセンサ部と警報部を一体に備え、電池電源により動作しており、センサ部の検出信号から火災を検知すると警報部から火災警報を出力する。
【００９４】
また、複数の住警器間で通信を行うことによって、任意の住警器で火災警報が出力されると、他の住警器でも連動して火災警報を出力させる無線連動型の住警器にも適用できる。
【００９５】
住警器の場合には、操作装置による電源供給の遠隔制御以外に、住宅に設置している複数の住警器の内、必要に応じて一時的に火災監視を停止したい場合に、操作装置により住警器の電源をオフ制御しておくような使い方も可能となる。
【００９６】
（無線タグ）
上記の実施形態は、受信電波信号を整流して得た電源で動作するパッシブタブ（受動タグ）の無線タグを例にとっているが、火災感知器の電池電源により動作するアクティブタグ（能動タグ）を使用しても良い。
【００９７】
（設定装置）
上記の実施形態は、専用の操作装置を使用して火災感知器等の防災機器に設けた無線タグにアクセスして遠隔的に電源供給を制御する場合を例にとっているが、無線タグとの通信機能を備えたタブレット端末等の適宜の携帯端末機器を利用するようにしても良い。
【００９８】
（無線タグによる情報設定と情報読出）
上記の実施形態に設けた無線タグに対して、無線タグのリーダ／ライタ装置を使用して火災感知器のアドレスや感度等の設定情報を書込み、これを感知器制御部で読み出して設定する制御を行っても良い。
【００９９】
また感知器制御部で火災発報等のイベントを検出して無線タグに履歴情報として記憶し、リーダ／ライタ装置を使用して火災感知器の無線タグから履歴情報を読出し、サーバ等に保存してシステム運用管理の解析や非火災報の解析等に利用することも可能である。
【０１００】
（その他）
また本発明はその目的と利点を損なうことのない適宜の変形を含み、更に上記の実施形態に示した数値による限定は受けない。
【符号の説明】
【０１０１】
１０：火災感知器
１２：感知器制御部
１４：機器回路部
１６：通信部
２０：センサ部
２２：操作表示部
２４，４０：Ｉ／Ｆ回路部
２６：電源スイッチ部
２８，１１６：電池電源
３０：無線タグ
３２：タグ制御部
３４，１０４：タグ通信部
３８：メモリ
１００：操作装置
１０２：操作制御部
１０８：電源オンスイッチ
１１０：電源オフスイッチ
１１２：確認スイッチ
【図１】
0006400421.tif 000002
【図２】
0006400421.tif 000003
【図３】
0006400421.tif 000004
【図４】
0006400421.tif 000005